(57)【要約】 【課題】コンクリート構造物等に対して水平面と共に鉛直面に対しても除草を行うことができるようにして、効率的な除草を可能とした器具を提供する。【解決手段】柄装着部１１と水平刃板部１２と鉛直刃板部１３を備えた除草本体を、立ち姿勢での作業可能な長柄２の先端先方に装着してなる除草器具であって、柄装着時に先方端縁となる水平刃板部１２及び鉛直刃板部１３の先端縁に外面に刃を形成した片刃の水平刃１２１及び鉛直刃１３１を設けてなる。【選択図】図２
2017018048.tif 000002
【特許請求の範囲】
【請求項１】
柄装着部と水平刃板部と鉛直刃板部を備えた除草本体を、立ち姿勢での作業可能な長柄の先端先方に装着してなる除草器具であって、柄装着時に先方端縁となる水平刃板部及び鉛直刃板部の先端縁に刃を形成してなることを特徴とする除草器具。
【請求項２】
先端刃を、各刃板部の外面に形成した片刃としてなる請求項１記載の除草器具。
【請求項３】
水平刃板部が、先端刃が短手方向となる長方形状に形成され、鉛直刃板部と反対側の側縁を凹凸状に形成すると共に、前記凹凸状部分における先方端縁に刃を形成してなる請求項２記載の除草器具。
【請求項４】
凹凸状部分をＬ状辺が連続した階段状に形成してなる請求項３記載の除草器具。
【請求項５】
水平刃板部の後方部分を上方に傾斜させて掬い面部を形成すると共に、鉛直刃板部を水平板部後縁まで形成し、鉛直刃板部と反対側の水平刃板部の後方角部を立ち上げて掬い受部としてなる請求項１乃至４記載の何れかの除草器具。
【発明の詳細な説明】
【技術分野】
【０００１】
本発明は、除草器具に関するものである。
【背景技術】
【０００２】
長柄の先端に除草部を設け、立った状態で除草作業を可能とした除草器具は、特許文献１（特開平９−１２１６０１号公報）及び特許文献２（登録実用新案３１９２４５８号公報）に開示されている。前者の除草部は、二股状の柄先端にＵ字型の草削り刃を設けたもので、作業者が手前に引きながら除草作業を行うものである。
【０００３】
後者の除草部は、波形刃先を備えた平板状の刃体を備えたもので、特にコンクリート、アスファルトや敷石等の角面に繁殖した雑草等の除去を目的として使用するもので、作業者が刃体を先方に押して作業を行う。
【０００４】
またコンクリート建造物に接して除草作業を行う器具とし、前記特許文献２に開示された器具の他、特許文献３（特開２００３−３２５００１号公報）には、草削り鍬の鍬本体の側縁にコーナーガイド板を設け、コンクリート建造物の壁面にガイド板を添わせて草削り作業並びに種植え穴掘り作業兼用とした鍬が開示されている。
【先行技術文献】
【特許文献】
【０００５】
【特許文献１】特開平９−１２１６０１号公報。
【特許文献２】登録実用新案３１９２４５８号公報。
【特許文献３】特開２００３−３２５００１号公報。
【発明の概要】
【発明が解決しようとする課題】
【０００６】
コンクリート舗装面や構築物、並びにアスファルト舗装面等は経年変化によってひび割れが生じ、当該箇所に雑草が繁殖して見苦しいので除去（除草）する必要がある。前記した各除草具を使用して除草作業することは可能であるが、特に歩道と車道の間のＬ字側溝や、土壌面に構築されたＵ字溝のように、平面と立面の双方において除草作業が必要となった場合、前記したコンクリート構築物などを対象とした特許文献２の除草器具は刃体の一縁にのみ刃を形成した器具のため、平面及び立面を別々に実施する必要があり、作業が煩瑣になる。
【０００７】
また特許文献１，３記載の草刈り器具は、鍬のように引き手の作業であるが、コンクリートブロックの側面に添う除草作業は、特許文献２記載の器具のように押し手作業が容易であり、また器具側縁で雑草等の切除を考慮した場合に、引き手作業では鎌状金具のように凹状部分が必要になり、器具の強度の低下を考慮する必要がある。
【０００８】
そこで本発明は、押して作業による除草以外にも、平面及び立面の除草を効率的に行うことのできる除草器具を提案したものである。
【課題を解決するための手段】
【０００９】
本発明に係る除草器具は、柄装着部と水平刃板部と鉛直刃板部を備えた除草本体を、立ち姿勢での作業可能な長柄の先端先方に装着してなる除草器具であって、柄装着時に先方端縁となる水平刃板部及び鉛直刃板部の先端縁に刃を形成してなることを特徴とするものである。
【００１０】
而して前記除草器具は、立ち姿勢の作業で除草本体をＬ字側溝の角部に沿わせて押切すると、Ｌ字側溝の割れ目から繁殖した雑草を一気に削り取ることができ、また土壌面に構築されたＵ字溝の上面に沿わせて押切すると、Ｕ字溝の割れ目から繁殖した雑草と共に、Ｕ字溝に張り出して繁殖した雑草も一気に除去できるものである。
【００１１】
また本発明の請求項２記載に係る発明は、除草本体の先端刃を、各刃板部の外面に形成した片刃としてなるもので、コンクリート面より僅かに刃先を浮かすことができ、作業中における刃先損傷の発生を軽減したものである。
【００１２】
また本発明の請求項３記載に係る発明は、水平刃板部が、先端刃が短手方向となる長方形状に形成され、鉛直刃板部と反対側の側縁を凹凸状に形成すると共に、前記凹凸状部分における先方側縁に刃を形成してなるもので、雑草の茎が太い場合などは、押切鋸のように使用することで当該茎の切断が可能であり、特に凹凸刃を階段状に形成すると（請求項４記載の発明）、茎に対して連続的な押切がなされ、且つ雑草や茎が刃間に絡まることが無く、効率的な切断がなされる。
【００１３】
また本発明の請求項４記載に係る発明は、水平刃板部の後方部分を上方に傾斜させて掬い面部を形成すると共に、鉛直刃板部を水平板部後縁まで形成し、鉛直刃板部と反対側の水平刃板部の後方角部を立ち上げて掬い受部としたもので、掬い面部と掬い受部の形成によって、側溝脇の除草作業と共に、溝浚い作業も同時に行うことができるものである。
【発明の効果】
【００１４】
本発明の構成は上記のとおり水平刃板部と鉛直刃板部を備えたＬ状板の除草本体を備えた器具で、通常の平地での除草作業を効率的に行うことができると共に、コンクリート構築物の割れ目などから繁殖した雑草を、水平刃板部による草削りの他、コンクリート鉛直面の雑草及びコンクリート面に覆いかぶさった雑草も同時に削り取ることができたもので、特定個所の除草作業効率を高めたものである。
【図面の簡単な説明】
【００１５】
【図１】本発明の実施形態器具の使用状態を示す説明図。
【図２】同除草本体の全体斜視図。
【図３】同平面図。
【図４】同使用状態の説明図（Ｌ字側溝）。
【図５】同図（Ｕ字溝の例）。
【発明を実施するための形態】
【００１６】
次に本発明の実施形態について説明する。図示した本発明の実施形態の除草器具は、柄２の先端に除草本体１を装着してなるもので、柄２は、立ち姿勢での作業可能な長柄としたものである。
【００１７】
除草本体１は、金属板をＬ状に折曲して形成したもので、基部に柄装着部（筒状部材）１１を連結固定し、Ｌ状板が水平刃板部１２と鉛直刃板部１３を構成するものである。
【００１８】
水平刃板部１２は、先端縁が短手方向となる約１００×２２０ｍｍ（特に数値に限定されるものでは無いが、前記寸法が使い易い大きさである）の長方形で、先端縁に水平刃１２１を設け、先端側縁にはＬ状辺が連続する階段刃１２２を設けたものである。特に前記の水平刃１２１は、水平刃板部１２の外面（下面）に形成した片刃としてなり、階段刃１２２は、先方端縁の水平刃板部１２の内面（上面）に形成した片刃としたものである。
【００１９】
また水平刃板部１２の後方部分（後方から７０ｍｍ程度）の折曲線１４から上方に約２５°程度傾斜させて掬い面部１６を形成すると共に、鉛直刃板部１３と反対側の水平刃板部１２の後方角部を折曲して立ち上げ、掬い受部１５を形成したものである。
【００２０】
鉛直刃板部１３は、水平板部１２の側縁全長に渡って形成したもので、先端縁に外側面を刃として片刃の鉛直刃１３１を設けたものである。
【００２１】
而して前記器具は、図４に示すように、例えば道路のＬ字側溝Ａの角部に沿わせて押切すると、Ｌ字側溝Ａの割れ目から繁殖した雑草Ｂを一気に削り取ることができる。
【００２２】
また図５に示すように、土壌面Ｃに構築されたコンクリート製Ｕ字溝Ｄにおいては、前記Ｌ側溝と同様にコンクリート角部に添わせて押切することでＵ字溝Ｄの割れ目から繁殖した雑草Ｂを除去できると共に、器具をＵ字溝Ｄの上端面上を滑らすように押し切りを行うと、Ｕ字溝Ｄの上面に張り出して繁殖した雑草Ｂ１も一気に除去できるものである。
【００２３】
また特に雑草Ｂの茎が太い場合などは、押切りによる一気の除去が困難な場合には、階段刃での連続押切によって切除が可能であり、而も階段刃であるために、雑草や茎が刃間に絡まることが無い。
【００２４】
更に水平刃板部１２の後方部分において、折曲線１４が最下位置となるように水平刃板部１２を傾斜すると、掬い受部１５、掬い面部１６、鉛直刃板部１３等で浅い容器状態が形成されるので、側溝脇の除草作業と共に、溝浚い作業も同時に行うことができる。
【符号の説明】
【００２５】
１        除草本体
１１      柄装着部（筒状部材）
１２      水平刃板部
１２１    水平刃
１２２    階段刃
１３      鉛直刃板部
１３１    鉛直刃
１４      折曲線
１５      掬い受部
１６      掬い面部
２        柄
【図１】
2017018048.tif 000003
【図２】
2017018048.tif 000004
【図３】
2017018048.tif 000005
【図４】
2017018048.tif 000006
【図５】
2017018048.tif 000007